(57)【要約】      （修正有）【課題】複数音や共鳴音を発生でき、音量が大きく音のコントロールも可能な複数の歌口部を有する単一リコーダを提供する。【解決手段】ラビューム、ブロック、ウインドウエイ及び歌口用窓から一組で構成される歌口部を、単一リコーダー管の菅頭側に構成配置し、歌口部の音発生用ラビュームから管尻端までの長さを所定の調管になるように調律するとともに、歌口部の音発生用ラビュームを基準にして各音を発生させるための指穴を必要数調律して構成配置したリコーダーにおいて、前記一組で構成される歌口部５を単一リコーダー管の管頭側の周囲に複数配置し、各歌口部に属するラビュームと管頭端間の距離を各々設定し、各々設定した距離の相互差を零または零以上の所要寸法に設定して共鳴音発生源とする。【選択図】図３
0003185675.tif 000002
【実用新案登録請求の範囲】
【請求項１】
ラビューム１、ブロック２、ウインドウエイ３及び歌口用窓４などから一組で構成される歌口部５を、単一リコーダー管６の菅頭側７に構成配置し、前記歌口部５の音発生用ラビューム１から管尻端８までの長さを所定の調管になるように調律するとともに、前記歌口部５の音発生用ラビューム１を基準にして必要音を発生させるための指穴９を調律して構成配置した管楽器の一種であるリコーダーにおいて、前記一組で構成される歌口部５を単一リコーダー管６の管頭側７の周囲に複数配置させ、前記複数配置した各歌口部５に属するラビューム１と管頭端１０間の距離Ｌを各々設定し、前記各々設定した距離Ｌの相互差を零または零以上の所要寸法に設定して共鳴音発生源としたことを特徴とする複数の歌口部５を有する単一リコーダー。
【考案の詳細な説明】
【技術分野】
【０００１】  本考案は、ラビューム、ブロック、ウインドウエイ、歌口用窓などから一組で構成される歌口部を有する管楽器としての単一リコーダーに関するものである。単一リコーダーとは、単一の管体を有するリコーダーを意味するものとする。
【背景技術】
【０００２】  従来、ラビューム、ブロック、ウインドウエイ、歌口用窓などからなる歌口部を備えた管楽器としてのリコーダーが存在し、管楽器として使用されている。この歴史あるリコーダーにおいて、歌口部などの基本形状は一部しか改良されていないのが現状である。
【先行技術文献】
【特許文献】
【０００３】
【特許文献１】実用新案登録第３１１７４１７号
【特許文献２】実用新案登録第３１２０７２０号
【特許文献３】実用新案登録第３１２７１０７号
【考案の概要】
【考案が解決しようとする課題】
【０００４】  従来のリコーダーや前記実用新案登録第３１１７４１７号、３１２０７２０号や３１２７１０７号などにおいて、単一管体の単一リコーダーとしては、ラビューム、ブロック、ウインドウエイ、歌口用窓などから一組で構成される歌口部は一か所のみ配置されている。そのため、低音では弱い音、高音では強い音など、ほぼ単一音のみの音発生であった。しかも音量は乏しく音のコントロールも困難であった。従って、他の金管や木管楽器などとの合奏も困難であった。本考案のリコーダーでは、このような前述の欠点を解決しようとするものである。
【課題を解決するための手段】
【０００５】  本考案は、ラビューム、ブロック、ウインドウエイ及び歌口用窓から一組で構成される歌口部を、単一リコーダー管の菅頭側に構成配置し、前記歌口部の音発生用ラビュームから管尻端までの長さを所定の調管になるように調律するとともに、前記歌口部の音発生用ラビュームを基準にして各必要音を発生させるための指穴を調律して構成配置した管楽器の一種であるリコーダーにおいて、前記一組で構成される歌口部を単一リコーダー管の管頭側の周囲に複数配置させ、前記複数配置した各歌口部に属するラビュームと管頭端間の距離を各々設定し、前記各々設定した距離の相互差を零または零以上の所要寸法に設定して共鳴音発生源として前記問題点を解決した。
【考案の効果】
【０００６】  次のような効果が期待できる。
ラビューム、ブロック、ウインドウエイ及び歌口用窓から一組で構成される歌口部を単一リコーダー管の周囲に複数配置したので、複数の歌口によって吹きつけた音の発生が構成上は効果音として複数倍期待できる。加えて、前記複数配置した各歌口部５に属するラビュームと管頭端間の距離を各々設定し、前記各々設定した距離の相互差を零または零以上の所要寸法に設定することによって共鳴音発生源として期待できる。複数配置した歌口部によって発生した共鳴音により、音量がさらに向上できる効果が期待できる。さらに発生音のコントロールも期待できる。
【図面の簡単な説明】
【０００７】
【図１】本考案の一実施例であるリコーダーの正面側図を示す。
【図２】本考案の一実施例であるリコーダーの背面側図を示す。
【図３】本考案の一実施例であるリコーダーの側面図（管頭側、Ａから見た図）を示す。
【考案を実施するための形態】
【０００８】  ラビューム、ブロック、ウインドウエイ及び歌口用窓から一組で構成される歌口部を有する管楽器としてのリコーダーにおいて、単一リコーダー管の周囲に前記歌口部を適宜複数配置する。具体例で説明すれば、歌口部が二か所配置の場合、単一リコーダー管において各歌口部を正面側と背面側、または右側面側と左側面側に配置する（注：リコーダーの正面側は吹く人の外側、背面側は吹く人側）。単一リコーダー管において、歌口部を正面側と背面側に配置する場合、正面側と背面側における歌口部に属するラビュームと管頭端間の相互距離差を零または零以上２．５ｍｍ程度ずらして配置する。
【実施例】
【０００９】  以下、添付図面に従って実施例を説明する。
図１は、単一リコーダー管の正面側を示す。正面側には、各必要音を発生させる指穴が調律後配置される。図２は、単一リコーダー管の背面側を示す。図１において、ラビューム１、ブロック２、ウインドウエイ３及び歌口用窓４から一組で構成される歌口部５を、単一リコーダー管６の周囲の所定箇所（図１ではリコーダー管の正面側）の菅頭側７に構成配置する。そして、前記歌口部５の音発生用ラビューム１から管尻端８までの長さを所定の調管になるように調律するとともに、図１に示すように、前記歌口部５の音発生用ラビューム１を基準にして各音を発生させるための指穴９を必要数調律して構成配置する。
次に、歌口部５を単一リコーダー管６の管頭側の周囲に複数配置させる。実施例では、図１の正面側と図２の背面側にそれぞれ歌口部５を配置している。単一リコーダー管６の周囲二か所に歌口部５を配置している。別の実施例としては、右側面と左側面に歌口部を各１組配置しても良い。単一リコーダー管６における前記二か所配置した各歌口部５に属するラビュームと管頭端間の距離Ｌ１とＬ２の差を、零または零以上（約２．５ｍｍなど）の所要寸法にそれぞれ設定して配置しても良い。式で示すと（Ｌ１−Ｌ２）≧０。前記単一リコーダー管６の軸方向配置相互距離差（Ｌ１とＬ２の差）を設けることによって共鳴音発生源とした。実施例では歌口部を二か所としたが、共鳴音をさらに増加させるために、歌口部を三か所や四か所などに増設しても良い。
以上の実施例では、歌口部を単一リコーダー管の管頭側の周囲に二か所配置したが、単一リコーダー管６の軸方向の所定の列方向位置に配置しても良い。
なお、図１、図２に一点鎖線で示すように、歌口側と指穴を配置している管本体側とを分離スライド接続するように構成しても良い。このことにより、温度差による音の高低に対して管の長さを調整することも可能になる。指穴は必要に応じてその指穴数を選定させても良い。図１、図２に示す指穴には、ベーム式などに採用されているキーとキーパッドなどが付いていないが、必要に応じ付加しても良い。
【産業上の利用可能性】
【０００１０】  管楽器分野のモダーンリコーダーとして利用できる。歌口の複数化によって音量が増大したりコントロールしやすくなるので、他の楽器との合奏への利用機会が増加できる。例えば、フルートなどの木管楽器、サックスなどの金管楽器との合奏用に利用できるようになる。室内演奏ばかりでなく、室外での合奏などへの利用も期待できる。「スーパーリコーダー」、「パワーリコーダー」や「アルティメイトリコーダー」などと称して、これまでと全く異なるリコーダーとして利用可能である。共鳴音をさらに有効利用するので、共鳴リコーダーとして「リゾネッテ」などと称して利用しても良い。リコーダーの材料としては、竹、木、金属、非金属及びプラスチックスなどにおいて、最適な材料を使用して良い。地球環境にやさしい植物由来の生分解性プラスチックを使用してもよい。トウモロコシなどの澱粉を材料としており、地中で分解するので地球環境に良い。この材料は加工しやすく、音も良い音が出るので最適な材料である。
【符号の説明】
【０００１１】１    ラビューム
２    ブロック
３    ウインドウエイ
４    歌口用窓
５    歌口部
６    単一リコーダー管
７    菅頭側
８    管尻端
９    指穴
１０  管頭端
【図１】
0003185675.tif 000003
【図２】
0003185675.tif 000004
【図３】
0003185675.tif 000005